(57)【要約】【課題】国民体育大会など大規模イベントの開催に際し、宿泊客の受け入れに必要な契約宿泊施設数などを事前に把握でき、開催期間中における宿舎手配を状況に応じて効率良く行うことができる宿泊管理システムを提供する。【解決手段】宿泊管理システム１０は、イベント開催地域内の契約宿泊施設情報を記憶した宿泊施設情報データベース１１、イベント開催地域内に開催期間中に宿泊する利用者に関する仮宿泊申込情報を入力するための仮申込情報入力端末１２、仮宿泊申込情報と宿泊施設情報とに基づいて宿舎手配処理をシミュレーションする配宿シミュレータ１３、シミュレーション結果を出力する出力装置１４、シミュレーション結果を記憶した配宿シミュレーション結果データベース１５、実際の宿泊申込情報を入力するための宿泊申込情報入力端末１６、宿泊申込情報とシミュレーション結果とに基づいて実際の宿舎手配処理を実施する配宿サーバ１７等で構成される。【選択図】      図１
2004303002.tif 000002
【特許請求の範囲】
【請求項１】
イベント開催地域内の契約宿泊施設情報を記憶した宿泊施設情報記憶手段と、
前記イベント開催地域内に開催期間中に宿泊する利用者の仮宿泊申込情報を入力するための仮申込情報入力手段と、
前記仮申込情報入力手段により入力された仮宿泊申込情報と前記宿泊施設情報記憶手段に記憶されている宿泊施設情報とに基づいて宿舎手配処理をシミュレーションする配宿シミュレーション手段と、
前記配宿シミュレーション手段によるシミュレーション結果を出力する配宿シミュレーション結果出力手段と、
を備えた宿泊管理システム。
【請求項２】
前記宿泊施設情報記憶手段には、宿舎名、収容客室数、収容人員を含む宿泊施設ごとのデータを記憶する宿舎マスターと、宿泊施設ごとに所有された部屋種類を含むデータを記憶する部屋タイプマスターとが少なくとも記憶された請求項１記載の宿泊管理システム。
【請求項３】
前記配宿シミュレーション手段は、各大会別競技種目データを記憶する競技マスターと、成年・少年の別または男子・女子の別を少なくとも記憶する競技種別マスターと、競技種目と市町村名または会場地名とを関連付けて記憶する会場地マスターとを参照して配宿シミュレーションを実施する請求項１または２のいずれかに記載の宿泊管理システム。
【請求項４】
前記配宿シミュレーション手段はさらに、選手監督、競技役員、競技会役員、大会役員、視察員、報道員の内の少なくともいずれか複数を記憶する参加区分マスターを参照して配宿シミュレーションを実施する請求項１〜３のいずれかに記載の宿泊管理システム。
【請求項５】
前記配宿シミュレーション手段によるシミュレーション結果を記憶した配宿シミュレーション結果記憶手段と、
実際の宿泊申込情報を入力するための宿泊申込情報入力手段と、
前記宿泊申込情報入力手段により入力された宿泊申込情報と前記配宿シミュレーション結果記憶手段に記憶されているシミュレーション結果とに基づいて実際の宿舎手配処理を実施する配宿手段と、
を備えた請求項１〜４のいずれかに記載の宿泊管理システム。
【請求項６】
宿泊申込情報入力手段による実際の宿泊申込情報の入力は、イベント開催期間中において所定期間ごとに実施する請求項１〜５のいずれかに記載の宿泊管理システム。
【請求項７】
前記イベントは、定期的または不定期に開催地域を変更して行われるイベントであり、
過去のイベントにおける前記宿舎手配処理のシミュレーション結果および実際の宿舎手配処理の結果を参考データとして記憶した過去データ記憶手段を備え、
前記配宿手段は、前記宿泊申込情報入力手段により入力された宿泊申込情報と前記配宿シミュレーション結果記憶手段に記憶されているシミュレーション結果と前記過去データ記憶手段に記憶されている参考データとに基づいて実際の宿舎手配処理を実施する請求項１〜６のいずれかに記載の宿泊管理システム。
【請求項８】
前記イベントは全国または世界から選手が参加するスポーツ大会である請求項１〜７のいずれかに記載の宿泊管理システム。
【発明の詳細な説明】
【０００１】
【発明の属する技術分野】
本発明は、国民体育大会等大規模イベントの開催期間における宿舎手配を効率良く行うための宿泊管理システムに関するものである。
【０００２】
【従来の技術】
従来、同窓会や学会、法要等各種イベントを実施する際に、そのイベント情報をウエブページに掲載し、そこから参加申し込みや会費の支払いができるようにした幹事業務支援システムが知られている。このシステムによれば、イベント会場の手配等が完了した時点でウエブページを公開することにより、即座に全国どこからでもイベント開催情報を入手できるようになり、さらにこのウエブページを見て、イベントに参加しようと思った人は、参加の申込や、会費の払込をインターネット経由で行うことができる。（特許文献１参照）
特許文献１：特開２００２−９２２７１号公報
【０００３】
【発明が解決しようとする課題】
しかし、上述した従来のシステムは、会期が１日乃至数日に限定され、会場としてホテルやレストランなど極限られた少数の施設を使用するイベントを対象としたものであり、国民体育大会等のように長期にわたって広域で開催される大規模イベントの開催期間中における宿舎手配を行うシステムには適用不可能である。
【０００４】
国民体育大会のような大規模イベントでは、契約宿泊施設をイベント開催期間中のどの時期にどの程度確保しておけばよいか事前に調査し、宿泊申込みに対応できる数の契約宿泊施設を予め確保しておく必要がある。
【０００５】
また、開催地域内における契約宿泊施設の収容規模、施設内容、価格帯など宿泊施設情報を正確に把握し、申込団体の人数や価格帯、申込者団体の参加内容に応じて、混乱を招かないように宿舎の手配を効率良く行う必要がある。とくに国民体育大会のようなスポーツ大会では、勝ち進みなどによる宿泊日数の延長や宿変更、負け帰りなどによる宿泊日数の短縮などが生じるため、状況に応じた宿舎手配が要求される。上述した従来の技術は、これらの要求を満たすものではない。
【０００６】
本発明は、このような事情の下に創案されたものであり、その目的は、国民体育大会など大規模イベントの開催に際し、宿泊客の受け入れに必要な契約宿泊施設数などを事前に把握でき、開催期間中における宿舎手配を状況に応じて効率良く行うことができる宿泊管理システムを提供することにある。
【０００７】
【課題を解決するための手段】
上記目的を達成するために本発明の宿泊管理システムは、イベント開催地域内の契約宿泊施設情報を記憶した宿泊施設情報記憶手段と、前記イベント開催地域内に開催期間中に宿泊する利用者に関する仮宿泊申込情報を入力するための仮申込情報入力手段と、前記仮申込情報入力手段により入力された仮宿泊申込情報と前記宿泊施設情報記憶手段に記憶されている宿泊施設情報とに基づいて宿舎手配処理をシミュレーションする配宿シミュレーション手段と、前記配宿シミュレーション手段によるシミュレーション結果を出力する配宿シミュレーション結果出力手段とを備える。ここで、イベントの開催地域は、当該イベントが現実に催される地域（開催県や開催国など）に限らずその近隣の地域も含む。契約宿泊施設情報は、このシステムの運用者が契約した宿泊施設に関する情報である。
【０００８】
上記のように構成された宿泊管理システムによれば、仮宿泊申込情報を入力することにより、予め記憶しているイベント開催地域内の宿泊施設情報と入力した仮宿泊申込情報とに基づいて宿舎手配処理をシミュレーションし、その結果を出力することができるので、シミュレーション結果に基づいて、現在の契約宿泊施設の確保状況で宿泊申込客を受け入れ可能であるか否かを事前にチェックすることができる。その結果、契約宿泊施設が足りない場合には、契約宿泊施設数を必要数だけ増やす等の対策を速やかに実施することができるので、宿泊施設不足による混乱の発生を未然に防ぐことができる。また、様々な状況を想定して宿舎手配処理をシミュレーションしておくことにより、シミュレーション結果に参考にして、状況に応じた宿舎手配を効率良く行うことができる。
【０００９】
本発明の宿泊管理システムは、上記構成に加えて、前記配宿シミュレーション手段によるシミュレーション結果を記憶した配宿シミュレーション結果記憶手段と、実際の宿泊申込情報を入力するための宿泊申込情報入力手段と、前記宿泊申込情報入力手段により入力された宿泊申込情報と前記配宿シミュレーション結果記憶手段に記憶されているシミュレーション結果とに基づいて実際の宿舎手配処理を実施する配宿手段とを備えていることが望ましい。
【００１０】
上記構成によれば、宿舎手配処理を自動化できるので、宿舎手配をより効率良く行うことができる。
【００１１】
また、前記イベントが定期的または不定期に開催地域を変更して行われるイベントである場合、過去のイベントにおける前記宿舎手配処理のシミュレーション結果および実際の宿舎手配処理の結果を参考データとして記憶した過去データ記憶手段を備え、前記配宿手段は、前記宿泊申込情報入力手段により入力された宿泊申込情報と前記配宿シミュレーション結果記憶手段に記憶されているシミュレーション結果と前記過去データ記憶手段に記憶されている参考データとに基づいて実際の宿舎手配処理を実施することが望ましい。
【００１２】
上記構成によれば、過去のイベントにおける宿舎手配処理のシミュレーション結果および実際の宿舎手配処理の結果も考慮して、実際の宿舎手配処理を実施することができるので、宿舎手配をより効率良くかつ適切に行うことができる。たとえば前回に開催された国民体育大会におけるシミュレーション結果と実際の宿舎手配処理の結果の差異などを考慮しつつ、今回開催される国民体育大会におけるシミュレーション結果と宿泊申込情報とに基づいて、実際の宿舎手配処理を効率良くかつ適切に実施できる。
【００１３】
前記イベントには、国民体育大会や全国高校野球大会など全国から選手が参加するスポーツ大会や、オリンピックやワールドカップなど世界から選手が参加するスポーツ大会が含まれる。
【００１４】
上記のように構成された本発明の宿泊管理システムによれば、国民体育大会やオリンピックなどの開催に際しても、宿泊客の受け入れに必要な契約宿泊施設数などを事前に把握でき、開催期間中における宿舎手配を状況に応じて効率良く行うことができる。
【００１５】
【発明の実施の形態】
以下、図面を参照して本発明の実施の形態を説明する。
【００１６】
図１は本発明の実施の形態の一例を示すシステム構成図である。
宿泊管理システム１０は、宿泊施設情報データベース１１、仮申込情報入力端末１２、配宿シミュレータ１３、出力装置１４、配宿シミュレーション結果データベース１５、宿泊申込情報入力端末１６、配宿サーバ１７、ＦＡＸ／ＯＣＲ装置１８、およびインターネットサーバ１９を備えている。
【００１７】
宿泊施設情報データベース１１には、イベント開催地域内の契約宿泊施設情報が蓄積されている。宿泊施設情報データベース１１への契約宿泊施設情報の入力、変更、削除等は図示しない操作端末上で行われる。
【００１８】
仮申込情報入力端末１２は、イベント開催地域内に開催期間中に宿泊する利用者に関する仮宿泊申込情報を入力するための端末装置である。
【００１９】
配宿シミュレータ１３は、仮申込情報入力端末１２により入力された仮宿泊申込情報と宿泊施設情報データベース１１に記憶されている宿泊施設情報とに基づいて宿舎手配処理をシミュレーションするコンピュータである。
図２は、配宿シミュレーション手段により参照されるデータの一例を示す図である。
宿泊施設情報データベース１１には、宿舎名、収容客室数、収容人員を含む宿泊施設ごとのデータを記憶する宿舎マスターと、宿泊施設ごとに所有された部屋種類を含むデータを記憶する部屋タイプマスターとが少なくとも記憶されている。
また、配宿シミュレータ１３は、各大会別競技種目データを記憶する競技マスターと、成年・少年の別または男子・女子の別を少なくとも記憶する競技種別マスターと、競技種目と市町村名または会場地名とを関連付けて記憶する会場地マスターとを参照して配宿シミュレーションを実施する。
さらに好ましくは、配宿シミュレータ１３はさらに、選手監督、競技役員、競技会役員、大会役員、視察員、報道員の内の少なくともいずれか複数を記憶する参加区分マスターを参照して配宿シミュレーションを実施する。
【００２０】
出力装置１４は、配宿シミュレータ１３によるシミュレーション結果を出力するための出力装置である。出力装置１４には、レーザプリンタなどの印刷装置およびＣＲＴ（Ｃａｔｈｏｄｅ−Ｒａｙ  Ｔｕｂｅ）、ＬＣＤ（Ｌｉｑｕｉｄ  Ｃｒｙｓｔａｌ  Ｄｉｓｐｌａｙ）等を備えた表示装置が含まれる。
【００２１】
配宿シミュレーション結果データベース１５には、配宿シミュレータ１３によるシミュレーション結果が蓄積されている。配宿シミュレーション結果データベース１５および宿泊施設情報データベース１１は、ハードディスクなどを備えた大容量記憶装置で構成される。
【００２２】
宿泊申込情報入力端末１６は、実際の宿泊申込情報を入力するための端末装置である。宿泊申込情報入力端末１６および仮申込情報入力端末１２には、パーソナルコンピュータが使用される。
【００２３】
配宿サーバ１７は、宿泊申込情報入力端末１６またはインターネット２１経由で入力された宿泊申込情報と配宿シミュレーション結果データベース１５に記憶されているシミュレーション結果とに基づいて実際の宿舎手配処理を実施するコンピュータである。配宿サーバ１７には、ワークステーションまたはメインフレームが使用される。
【００２４】
ＦＡＸ／ＯＣＲ装置１８は、宿泊申込団体２０からＦＡＸ送信されてきた宿泊申込書を受信するとともに、その宿泊申込書の内容を文字認識処理し、認識結果を宿泊申込情報として宿泊申込情報入力端末１６に入力する機能を備えている。
【００２５】
インターネットサーバ１９は、宿泊の申し込み等を受け付けるためのウエブページをインターネット２１上に公開している。このウエブページには、宿泊申込用のウエブページや、宿舎決定通知用のウエブページなどが含まれる。これらのページのＵＲＩ（Ｕｎｉｆｏｒｍ  Ｒｅｓｏｕｒｃｅ  Ｉｄｅｎｔｉｆｉｅｒ）は、予め特定の利用者に対してのみ郵送または電子メールで通知される。
【００２６】
また、インターネットサーバ１９は、インターネット２１を介してデータ送信されてきた宿泊申込情報を配宿サーバ１７に入力する機能、および配宿サーバ１７による宿舎手配処理結果などをインターネット２１を介してイベント開催本部２２内の端末装置２３にデータ転送する機能を有している。データ転送には電子メールあるいはＦＴＰ（Ｆｉｌｅ  Ｔｒａｎｓｆｅｒ  Ｐｒｏｔｏｃｏｌ）によるファイル転送が使用される。
【００２７】
つぎに、上記のように構成された宿泊管理システム１０の動作について、図３および図４に示す流れ図に従って説明する。
図３は宿泊管理システム１０の事前処理すなわち宿泊申し込みの受け付けを開始する前に実施する配宿シミュレーション処理に関する流れ図である。
この宿泊管理システム１０では、実際の宿泊申し込みの受け付けを開始する前に、仮申込情報入力端末１２を使用して、イベント開催地域内に開催期間中に宿泊する利用者に関する仮宿泊申込情報を配宿シミュレータ１３に入力する（Ｓ１）。仮宿泊申込情報が入力されると、配宿シミュレータ１３は、その仮宿泊申込情報と宿泊施設情報データベース１１に記憶されている宿泊施設情報とに基づいて宿舎手配処理をシミュレーションする（Ｓ２）。配宿シミュレータ１３によるシミュレーション結果は、出力装置１４によりプリントまたは表示される（Ｓ３）。
【００２８】
図４は宿泊管理システム１０による宿舎手配処理に関する流れ図である。
この宿泊管理システム１０では、イベント開催数ヶ月前までに各宿泊申込団体２０に宿泊申込書案内書を郵送しておく（Ｓ１１）。案内書には申込手続についての説明のほか宿泊申込用のウエブページのＵＲＩが記載されている。案内書は、電子メールで送付される場合もある。
【００２９】
各宿泊申込団体２０は、必要事項を記入した宿泊申込書をＦＡＸ送信するか、宿泊申込用のウエブページからデータ送信する（Ｓ１２）。
【００３０】
各宿泊申込団体２０からＦＡＸ送信された宿泊申込書は、ＦＡＸ／ＯＣＲ装置１８で受信され（Ｓ１３でＹｅｓ、Ｓ１４）、その宿泊申込書の内容が文字認識処理される（Ｓ１５）。認識結果は宿泊申込情報として宿泊申込情報入力端末１６を介して配宿サーバ１７に入力される（Ｓ１８）。一方、宿泊申込用のウエブページからデータ送信された宿泊申込書の記入内容は、宿泊申込情報としてインターネットサーバ１９を介して配宿サーバ１７に入力される（Ｓ１３でＮｏ、Ｓ１６でＹｅｓ、Ｓ１７、Ｓ１８）。
【００３１】
宿泊施設情報データベース１１には、宿舎名、収容客室数、収容人員を含む宿泊施設ごとのデータを記憶する宿舎マスターと、宿泊施設ごとに所有された部屋種類を含むデータを記憶する部屋タイプマスターとが少なくとも記憶されている。
配宿サーバ１７は、入力された宿泊申込情報（宿泊日、宿泊人数、性別、参加区分、参加内容、所属、会場地、等）に応じて、配宿シミュレーション結果データベース１５から近似するシミュレーション結果を探索し（Ｓ１９）、そのシミュレーション結果と入力された宿泊申込情報とに基づいて実際の宿舎手配処理を実施する（Ｓ２０）。
このとき、配宿シミュレータ１３は、各大会別競技種目データを記憶する競技マスターと、成年・少年の別または男子・女子の別を少なくとも記憶する競技種別マスターと、競技種目と市町村名または会場地名とを関連付けて記憶する会場地マスターとを参照して配宿シミュレーションを実施する。
各会場地における宿泊施設の部屋タイプ別宿泊収容数・提供数に基づき、宿泊団体基準による県別競技別実数の仮植付けを行う。また、宿泊意向調査および宿泊施設の提供数に基づき、県別競技別男女別の宿舎植付けを実施し、過不足を明確にする。
【００３２】
さらに好ましくは、配宿シミュレータ１３はさらに、選手監督、競技役員、競技会役員、大会役員、視察員、報道員の内の少なくともいずれか複数を記憶する参加区分マスターを参照して配宿シミュレーションを実施する。
選手・監督については、監督・マネージャーなどの性別区分による部屋割りや、種別が成年、少年別の場合に男女別部屋割りが必要となることから、あらかじめ宿泊意向調査によりこれらのデータについて確認しておき、配宿上に配宿ロスを考慮にいれた部屋割り植付けシミュレーションを行う。
また、視察員・報道員・その他については、正規視察員および後催県のその他視察員の宿泊意向調査の精度は従来から不正確な点が多く正確なシミュレーションに無理がある場合もあるため、選手団の植付け後に希望会場地を基本としつつ、選手・監督よりも広域を含む地域においての宿舎を植え付けることが好ましい。なおこれらの設定はイベントの内容や種類等により異なるため、これに限定されず様々な設定をしておき、これに基づきシミュレーションをすることができる。
また本部役員・大会役員等については、配宿地が限定され宿舎のランクも上位の施設により、可能な限りシングル対応で植え付けることが好ましい。
【００３３】
なお、スポーツ大会などのイベントにおいては、宿泊申込情報入力手段による実際の宿泊申込情報の入力は、イベント開催期間中において所定期間ごとに実施することが好ましく、このようにすれば負けて帰る場合などの最終実数把握のため、大会終了後宿泊実績調査票の回収・入力を行うことにより正確な実態数値を集計することができ、配宿シミュレーションを毎日などの所定期間ごとに修正し最適化することができる。また毎日などの完璧な所定期間ごとではなく、競技終了ごと、あるいは競技種目ごと、大会の会場地ごとの勝敗結果の確定ごとなどに入力を行うなど、様々な入力、シミュレーションをすることもできる。
【００３４】
配宿サーバ１７による宿舎手配処理結果は、所定形式の配宿決定通知書としてインターネットサーバ１９に渡され、インターネット２１などを介してイベント開催本部２２内の端末装置２３に送信される（Ｓ２１）。宿泊管理システム１０の顧客担当者は、配宿サーバ１７による宿舎手配処理結果に基づいて宿舎決定通知書を作成し、郵送またはＦＡＸにより各申込団体に送信する（Ｓ２２）。この宿舎決定通知書は、変更・取消申込書を兼ねる場合もある。また、必要に応じて宿舎決定通知用のウエブページを公開し、インターネット２１経由で通知する方法もとられる。
【００３５】
イベント開催本部２２内の端末装置２３のモニタ画面には、配宿決定通知書が表示される。イベント開催本部２２の宿舎手配担当者は、端末装置２３のモニタ画面上で内容を確認した後、配宿決定通知書をプリントし、該当する宿泊施設２４にＦＡＸ送信する。宿泊施設２４は、イベント開催本部２２から受け取った配宿決定通知書の内容を確認し、来客に備えて必要な準備をする。
【００３６】
上記のように、この宿泊管理システム１０によれば、宿泊申し込みの受け付けを開始する前に、仮申込情報入力端末１２を使用して、仮宿泊申込情報を配宿シミュレータ１３に入力することにより、宿舎手配処理をシミュレーションし、その結果を出力装置１４によりプリントするなどして確認することができるので、シミュレーション結果に基づいて、現在の契約宿泊施設の確保状況で宿泊申込客を受け入れ可能であるか否かを事前にチェックすることができる。その結果、契約宿泊施設が足りない場合には、契約宿泊施設数を必要数だけ増やす等の対策を速やかに実施することができるので、宿泊施設不足による混乱の発生を未然に防ぐことができる。また、様々な状況を想定して宿舎手配処理をシミュレーションしておくことにより、シミュレーション結果に参考にして、状況に応じた宿舎手配を効率良く適切に行うことができる。
【００３７】
また、宿泊申し込みの受け付け開始後においては、ＦＡＸ送信またはインターネット２１経由で送られてきた宿泊申込情報と配宿シミュレーション結果データベース１５に記憶されているシミュレーション結果とに基づいて、配宿サーバ１７が宿舎手配処理を実施するので、宿泊申込の受け付けから宿舎手配まで全て自動化することができる。
【００３８】
したがって、この宿泊管理システム１０によれば、国民体育大会やオリンピックなどの大規模なイベントの開催に際しても、宿泊客の受け入れに必要な契約宿泊施設数などを事前に把握でき、開催期間中における宿舎手配を状況に応じて効率良く行うことができる。
【００３９】
つぎに、この宿泊管理システム１０を国民体育大会（以下、国体と記す）の開催期間中に宿舎手配を行うためのシステムに適用した場合について説明する。
【００４０】
国体の場合、宿泊申込団体２０には、各都道府県の体育協会や競技団体、中央競技団体、報道各社、会場地市町村関係団体、大会役員、宮内庁関係、等が含まれる。宿泊申込団体２０には、国体開催数ヶ月前までに各宿泊申込団体２０に、図５および図６に例示する参加区分別の宿泊申込書案内書を郵送しておく。案内書には申込手続についての説明のほか、図７および図８に例示する参加区分別の宿泊申込用ウエブページのＵＲＩを記載しておく。
【００４１】
宿泊管理システム１０の宿泊施設情報データベース１１には、国体開催県内の契約宿泊施設情報を蓄積しておく。また、配宿シミュレーション結果データベース１５には、配宿シミュレータ１３による今回の国体におけるシミュレーション結果に加え、前回開催された国体における宿舎手配処理のシミュレーション結果および実際の宿舎手配処理の結果が参考データとして格納しておく。
【００４２】
配宿サーバ１７は、入力された宿泊申込情報（宿泊日、宿泊人数、性別、参加区分、県区分、所属、競技種目、会場地、等）に応じて、配宿シミュレーション結果データベース１５から近似する今回のシミュレーション結果および参考データ（前回の結果）を探索し、そのシミュレーション結果および参考データと入力された宿泊申込情報とに基づいて実際の宿舎手配処理を実施する。
【００４３】
上記の適用例によれば、前回開催された国体におけるシミュレーション結果と実際の宿舎手配処理の結果の差異などを考慮しつつ、今回開催される国体におけるシミュレーション結果と宿泊申込情報とに基づいて、実際の宿舎手配処理を効率良くかつ適切に実施できる。
【００４４】
この宿泊管理システム１０は、サッカーやスキーのワールドカップ、世界陸上競技大会、オリンピックなど、定期的または不定期に開催地域を変更して行われるその他の大規模なスポーツ大会の開催期間中における宿泊管理システムにも有効に適用できる。
【００４５】
なお、本発明は上記実施の形態に示した構成に限定されるものではない。
たとえば、上記実施の形態では配宿サーバ１７と配宿シミュレータ１３が各々別のコンピュータで構成されているが、両者を一つのコンピュータで構成してもよい。
【００４６】
また、上記の適用例では、今回の国体におけるシミュレーション結果と共に前回開催された国体の参考データを配宿シミュレーション結果データベース１５に格納することとしたが、参考データ用のデータベースを別途設けてもよい。また、このデータベースに前回の参考データだけでなく更に過去の参考データを格納しておき、それらの過去の参考データを考慮して配宿サーバ１７が配宿手配処理を実施するようにしておけば、宿舎手配処理を更に適切に実施できる。
【００４７】
【発明の効果】
以上説明したように、本発明の宿泊管理システムによれば、国民体育大会など大規模イベントの開催に際し、宿泊客の受け入れに必要な契約宿泊施設数などを事前に把握でき、開催期間中における宿舎手配を状況に応じて効率良く行うことができる。
【図面の簡単な説明】
【図１】本発明の実施の形態の一例を示すシステム構成図である。
【図２】配宿シミュレーション手段により参照されるデータの一例を示す図である。
【図３】図１に示す宿泊管理システムの事前処理に関する流れ図である。
【図４】図１に示す宿泊管理システムの宿舎手配処理に関する流れ図である。
【図５】宿泊申込書を例示する図である。
【図６】宿泊申込書を例示する図である。
【図７】宿泊申込用ウエブページを例示する図である。
【図８】宿泊申込用ウエブページを例示する図である。
【図９】配宿決定通知書を例示する図である。
【図１０】配宿決定通知書を例示する図である。
【図１１】宿舎決定通知書を例示する図である。
【図１２】宿舎決定通知書を例示する図である。
【図１３】宿舎決定通知用ウエブページを例示する図である。
【図１４】宿舎決定通知用ウエブページを例示する図である。
【符号の説明】
１０：宿泊管理システム
１１：宿泊施設情報データベース（宿泊施設情報記憶手段）
１２：仮申込情報入力端末（仮申込情報入力手段）
１３：配宿シミュレータ（配宿シミュレーション手段）
１４：出力装置（配宿シミュレーション結果出力手段）
１５：配宿シミュレーション結果データベース（配宿シミュレーション結果記憶手段、過去データ記憶手段）
１６：宿泊申込情報入力端末（宿泊申込情報入力手段）
１７：配宿サーバ（配宿手段）
１８：ＦＡＸ／ＯＣＲ装置
１９：インターネットサーバ
【図１】
2004303002.tif 000003
【図２】
2004303002.tif 000004
【図３】
2004303002.tif 000005
【図４】
2004303002.tif 000006
【図５】
2004303002.tif 000007
【図６】
2004303002.tif 000008
【図７】
2004303002.tif 000009
【図８】
2004303002.tif 000010
【図９】
2004303002.tif 000011
【図１０】
2004303002.tif 000012
【図１１】
2004303002.tif 000013
【図１２】
2004303002.tif 000014
【図１３】
2004303002.tif 000015
【図１４】
2004303002.tif 000016